(57)【要約】      （修正有）【課題】使用者において身体が左右方向にぶれることなく前後方向のみに傾斜するように装着することができるとともに、当該傾斜も個人の身体状況に合わせて調整することができ、且つ各個人に合った高さとなる突起を適宜選択することのできる健康増進履物を提供する。【解決手段】足の裏側を支持する履物底部の接地面側平板面の略中央部に、該履物の前後の長さのほぼ１／３の幅を有するカマボコ型の凸部を設け、該凸部の表面側は履物の前後方向に亘って幅全体に弧状面を形成し、該凸部の装着側は、該平板面に形成した突起に嵌合する凹部及び他の接着手段を並設して着脱自在に装着し、履物の底部から凸部の頂部までの高さの異なる凸部を適宜選択装着することによりその高さを調整することができることを特徴とした健康増進履物。【選択図】図１
0003110055.tif 000002
【実用新案登録請求の範囲】
【請求項１】
足の裏側を支持する履物底部の接地面側平板面の略中央部に、該履物の前後の長さのほぼ１／３の幅を有するカマボコ型の凸部を設け、該凸部の表面側は履物の前後方向に亘って幅全体に弧状面を形成し、該凸部の装着側は、該平板面に形成した突起に嵌合する凹部及び他の接着手段を並設して着脱自在に装着し、履物の底部から凸部の頂部までの高さの異なる凸部を適宜選択装着することによりその高さを調整することができることを特徴とした健康増進履物。
【請求項２】
凸部の弧状面に接合手段により三日月型の追加凸部を固定し、高さを調整することを特徴とした請求項１に記載の健康増進履物。
【考案の詳細な説明】
【技術分野】
【０００１】
本考案は、下駄、サンダル、靴、スリッパ等の履物に関し、特に該履物底の接地面側に凸部を形成することにより、足の筋力の増強、足首やアキレス腱の運動、姿勢の矯正及び平衡感覚の向上等を図ることを目的とする健康増進履物に関する。
【背景技術】
【０００２】
従来の履物の接地面側となる底は、基本的にはほぼ平面形状に形成され、踵部分をやや高くして歩行し易い形状としているが、一部背を高く見せるため踵部分を極端に高く形成したものがある。
また、特開平１１−３１８５０６号公報に見られるように、履物の底の接地面側の一部に凸部を形成したものや、実用新案登録第３０３８１９1号公報に見られる履物の接地面側の底に所定の傾斜角度を有する突起を設けたものが知られている。
【０００３】
上記前者のものにあっては、履物の接地面側となる底全体の１／６〜１／８程度の小さな突起を形成しているので、体重が該突起部分に相当する足の裏側の特定箇所に集中することとなり、足の裏側の当該部分を痛めたり、足首が不必要に回転し過ぎて捻挫したり、アキレス腱を痛めたりする危険性があった。
【０００４】
また、後者のものにあっては、履物の接地面となる底が傾斜面となり、角度調整ができず、定められた角度のみでの歩行となり、足首の硬軟の違いや運動神経の違い等の個人差に対応することができず、これも前記同様、足首やアキレス腱を痛める原因となっていた。
【特許文献１】特開平１１−３１８５０６号公報
【特許文献２】実用新案登録第３０３８１９１号公報
【考案の開示】
【考案が解決しようとする課題】
【０００５】
本考案は、上記欠点を解決したもので、使用者において身体が左右方向にぶれることなく前後方向のみに傾斜するように装着することができるとともに、当該傾斜も個人の身体状況に合わせて調整することができ、且つ各個人に合った高さとなる突起を適宜選択することのできる健康増進履物を提供するものである。
【課題を解決するための手段】
【０００６】
本考案は、足の裏側を支持する履物底部の接地面側平板面の略中央部に、該履物の前後の長さのほぼ１／３の幅を有するカマボコ型の凸部を設け、該凸部の表面側は履物の前後方向に亘って幅全体に弧状面を形成し、該凸部の装着側は、該平板面に形成した突起に嵌合する凹部及び他の接着手段を並設して着脱自在に装着し、履物の底部から凸部の頂部までの高さの異なる凸部を適宜選択装着することによりその高さを調整することができる健康増進履物を特徴とする。
【０００７】
また、凸部の弧状面に接合手段により三日月型の追加凸部を固定し、高さを調整する健康増進履物を特徴とする。
【考案の効果】
【０００８】
本考案の健康増進履物は、足首、ふくらはぎ、アキレス腱、お尻の筋肉等の増強を図ることができると同時に、平衡感覚を向上させ、更に姿勢の矯正を可能とした。
【０００９】
また、スポーツジムや所定の場所に留まった状態で使用するのではなく、通常の歩行、例えば屋内外で他の仕事をしながら上記の目的を達成することができる履物を提供することを可能とした。
【００１０】
更に、筋力の増強、足首やアキレス腱の運動、平衡感覚の向上及び姿勢の矯正等を急激に行なうのではなく、凸部の低いゆるやかに運動できる段階からより高い段階へと順次向上させることにより、身体を痛めることなく段階的に良い方向へと導くことを可能とした。
【考案を実施するための最良の形態】
【００１１】
以下、実施例に従って本考案を説明する。
【実施例１】
【００１２】
図１は、健康増進履物の実施例の斜視図、図２は、同長手方向の断面図、図３は、同短手方向の断面図を示している。
１は、本考案の健康増進履物で、該健康増進履物１には下駄、サンダル、靴、スリッパ等の履物が想定される。
該健康増進履物１は、足の甲側を被覆或いは支持するカバー、鼻緒等の上部２と足の裏側を支持する底部３及び該底部３の接地面側に着脱自在に装着される凸部４とより構成している。
【００１３】
該底部３の接地面側は、平板面として形成し、該平板面５の略中央部に該凸部４を着脱自在に取着する装着手段６を形成している。
【００１４】
上記装着手段６としては、平板面５の略中央部に２個の突起７を形成し、且つ該平板面５の短手方向となる該突起７の前後に接着テープ８を形成する。
他方、該凸部４は、平板面５の短手方向を長手方向としたカマボコ型形状とし、その前後方向の長さＷは、該平板面５の長さのほぼ１／３の幅を有し、且つ表面側を前後方向に亘り滑らかな弧状面に形成し、背面側には上記突起７が嵌合する２個の凹部９及び該凹部９の前後に接着テープ１０を形成する。
【００１５】
該凸部４の背面側に形成した該凹部９に、上記突起７を嵌合し、該平板面５側の接着テープ８と凸部４側の接着テープ１０を連結することにより両者を一体化することができる。
【００１６】
該凸部４の表面側の弧状面には、該弧状面に沿ってラバー等の弾性体１１を取着する。該弾性体１１としては薄手のものを弧状面に沿って接着接合する。
【００１７】
上記凸部４は、その高さの異なるものを別体として数個、少なくとも２個は用意する。図３に示すように、高さの高いもの（Ｈ１）と低いもの（Ｈ２）とを準備することにより、使用者の身体の硬軟或いは熟練度等に合ったものを適宜選択することが可能となる。
【００１８】
上記凸部４の高さの高いもの（Ｈ１）は、使用時において平板面５の長さの前後方向の先端１２及び後端１３と接するまでの回動範囲が高さの低いもの（Ｈ２）と比較して大きくなる。従って、使用者は、大きな範囲を有する回動により足首やアキレス腱等にかかる負担が大きくなり、より大きな運動量を得ることが可能となる。
しかし、いきなり高さの高いもの（Ｈ１）を使用すると、使用者にとっては身体を痛める原因になると考えられるので、高さの異なる凸部４を低い方から高い方へと順次変化させて対応することにより、身体を痛めることなく効果の良い履物を得ることができる。
【実施例２】
【００１９】
上記実施例１では、凸部４の高さの異なるものを、該凸部４と平板面５との取着位置となる装着手段６における脱着により交換をしていたが、三日月型の断面を有する追加凸部１４を用意し、高さの低いもの（Ｈ２）の表面側の弧面の位置に該断面三日月型の追加凸部１４を固定することを可能としたものである。
【００２０】
上記実施例２により、当初は高さの低いもの（Ｈ２）で足首やアキレス腱を柔らかくし、当該柔らかさが充分に達成できたときに高さの高いもの（Ｈ１）へと移行するという手段を簡単に得ることが可能となった。
【００２１】
上記断面三日月型の追加凸部１４は、外方へ重ね或いは高さのことなるものを適数個用意することにより高さを高くすることができる。また、該追加凸部１４を固定する手段としては、先のラバー等の弾性体をはがし、接着剤やダボ或いはジベル鋲やジベル金具によって固定することが可能である。通常、低い段階での訓練の後、高いものへと移行することになるので、追加凸部１４は強固に固定してよいことになる。
【図面の簡単な説明】
【００２２】
【図１】本考案の健康増進履物の斜視図。
【図２】同長手方向の断面図。
【図３】同短手方向の断面図。
【符号の説明】
【００２３】
１        健康増進履物
２        上部    
３        底部    
４        凸部
５        平板面    
６        装着手段    
７        突起
８        接着テープ    
９        凹部    
１０      接着テープ
１１      弾性体    
１２      先端    
１３      後端    
１４      追加凸部    
【図１】
0003110055.tif 000003
【図２】
0003110055.tif 000004
【図３】
0003110055.tif 000005